(57)【特許請求の範囲】
【請求項１】
送り箱を含み、前記送り箱の中には上方に開口した送り空間が設けられ、前記送り空間の中にはリチウム電池を送ることができる送り装置が設けられ、前記送り装置の中にはリチウム電池を挟んで固定できる挟み具が五つ設けられ、前記送り空間の後側端面には左右対称の二つの支持台が固定的に連結され、前記支持台には接着テープ箱が固定的に連結され、前記接着テープ箱の中には下方に開口した接着テープ空間が設けられ、前記接着テープ空間の中にはリチウム電池にタブを接着テープで固定できるテープ貼り付け装置が設けられ、前記接着テープ空間の中には前記テープ貼り付け装置の下側に位置したテープ引き装置が設けられ、
前記テープ引き装置は前記接着テープ空間の中に設けられた接着テープ引き箱と、前記接着テープ引き箱の中に設けられた動力空間と、前記動力空間の前側内壁に回転できるように連結され且つ後方に延びたモーター軸と、前記モーター軸に伝動できるように連結され且つ前記動力空間の前側内壁に固定的に連結されたメインモーターと、前記モーター軸に固定的に連結され且つ前記メインモーターの後側に位置したメイン歯車と、前記接着テープ空間の後側内壁に固定的に連結され且つ前記接着テープ引き箱の左側に位置した固定台と、前記固定台の前側端面に固定的に連結され且つ前記動力空間を貫通したラックと、前記メイン歯車と噛合するように連結された前記ラックと、前記接着テープ引き箱の中に設けられ且つ前記動力空間の前側に位置した空気空間と、前記空気空間の中にスライドできるように連結されたスライド盤と、前記スライド盤の上側に固定的に連結され且つ前記接着テープ空間の中まで上方に延びたスライドロッドと、前記スライドロッドに固定的に連結され且つ前記接着テープ空間の中に位置した挟みブロックと、前記空気空間の右側端面に固定的に連結され且つ前記挟みブロックの下側に位置した固定挟みブロックとを含み、前記スライド盤が下方へ移動して前記挟みブロックと前記固定挟みブロックとに接着テープを挟ませて固定させることを利用し、そして前記メインモーターが前記メイン歯車を回転連動させることを利用し、前記メイン歯車が噛合運動で前記接着テープ引き箱を前記ラックに沿って左方へ移動連動させ、指定された長さの前記接着テープを引いて取ることができることを特徴とするリチウム電池の両面のタブのところに接着テープを貼り付ける設備。
【請求項２】
前記送り装置は前記送り空間の後側内壁に回転できるように連結された二本の左右対称の送り軸を含み、前記送り軸が前方へ延びており、前記送り軸には送り輪が固定的に連結され、二つの前記送り輪の間には送りベルトが連結され、前記送りベルトには五つの前記挟み具が環状に配列され、左側の前記送り軸には前記送り空間の後側内壁に固定的に連結されたモーターが伝動できるように連結されていることを特徴とする請求項１に記載のリチウム電池の両面のタブのところに接着テープを貼り付ける設備。
【請求項３】
前記挟み具は前記送りベルトの端面に固定的に連結された固定スタンドを含み、前記固定スタンドの後側端面には後方に延びた回転軸が回転できるように連結され、前記回転軸には歯車が固定的に連結され、前記回転軸には前記歯車の後側に固定的に連結された挟み具箱が固定的に連結され、前記挟み具箱の中には後方と上方に開口した挟み具空間が設けられ、前記挟み具空間の後側内壁には左右対称の二つの挟みロッドがスライドできるように連結され、前記挟み具空間のうち対称中心から離れた側の内壁と前記挟みロッドとの間には圧縮バネが連結され、前記挟みロッドには上方に開口した五つのピン穴が前方から後方へ配列され、前記挟み具空間の左右両側内壁の間には前記挟みロッドの上側に位置した位置制限ロッドがスライドできるように連結され、前記位置制限ロッドが前記挟みロッドとスライドできるように連結され、前記位置制限ロッドには上下に貫通したスライド溝が設けられ、前記ピン穴に前記スライド溝とスライドできるように連結された挿しピンを挿し込んで連結することができることを特徴とする請求項２に記載のリチウム電池の両面のタブのところに接着テープを貼り付ける設備。
【請求項４】
前記送り箱の後側の上側端面には前記接着テープ箱の間に位置した二つの突出台が固定的に連結され、前記突出台の前側端面には横ロッドが固定的に連結され、前記横ロッドには前記歯車と噛合するように連結されることができる短ラックが固定的に連結され、
前記歯車と前記短ラックとの噛合運動により前記歯車と前記挟み具箱とを百八十度回転連動させ、リチウム電池を翻転させ、リチウム電池の両面に接着テープでタブを固定することができることを特徴とする請求項３に記載のリチウム電池の両面のタブのところに接着テープを貼り付ける設備。
【請求項５】
前記テープ貼り付け装置は前記接着テープ空間の上側内壁に固定的に連結されたエアポンプを含み、前記接着テープ空間の後側内壁には前記エアポンプの下側に位置したスライド箱が固定的に連結され、前記スライド箱の中にはスライド空間が設けられ、前記スライド空間の中にはスライド栓がスライドできるように連結され、前記スライド栓の下側端面には前記スライド空間の端面の外まで下方へ延びた押しロッドが固定的に連結され、前記押しロッドの下側端面には下方に開口した負圧空間が設けられ、前記負圧空間と前記エアポンプとの間には負圧ホースが連通するように連結され、前記接着テープ空間の後側内壁には前記スライド箱の右側に位置した接着テープ軸が回転できるように連結され、前記接着テープ軸が前方に延びており、前記接着テープ軸には前記接着テープを貯蔵できる接着テープ盤が固定的に連結され、前記接着テープ空間の後側内壁には前方に延びたガイド輪軸が回転できるように連結され、前記ガイド輪軸が前記接着テープ軸の下側に位置し、前記ガイド輪軸にはガイド輪が固定的に連結され、前記接着テープが前記ガイド輪の下側端面を経由したことを特徴とする請求項１に記載のリチウム電池の両面のタブのところに接着テープを貼り付ける設備。
【請求項６】
前記接着テープ引き装置は前記接着テープ引き箱の下側端面に固定的に連結された復帰弁を含み、前記復帰弁の中には逆止弁が設けられ、前記空気空間の下側内壁には前記逆止弁の下側端面の外まで下方へ延びた空気管が連通するように連結され、前記逆止弁の中には前記空気管の左側に位置した回転空間が設けられ、前記回転空間の左側内壁には前記逆止弁の中まで右方へ延びた心棒が回転できるように連結され、前記心棒が右方へ前記空気管を貫通し、且つ前記逆止弁の右側内壁と回転できるように連結され、前記心棒には前記回転空間の中に位置した回転板が固定的に連結され、前記回転板と前記回転空間の左側内壁との間にはトーションバネが設けられ、前記心棒には前記空気管の中に位置した塞ぎボールが固定的に連結され、前記塞ぎボールが前記空気管を塞ぐことができ、前記空気管には前後に貫通したボール穴が設けられ、前記逆止弁の前側内壁と前記スライド空間との間には細ホースが連通するように連結され、前記逆止弁の前後両側内壁には前記回転板と当接できる仕切りロッドが二つ対称的に固定的に連結され、前記挟みブロックの上側端面には従動ロッドが固定的に連結され、前記接着テープ空間の後側内壁には前記接着テープ引き箱の右上側に位置したピストン箱が固定的に連結され、前記ピストン箱の中にはピストン空間が設けられ、前記ピストン空間にはピストンがスライドできるように連結され、前記ピストンの下側端面には前記接着テープ空間の中まで下方に延びた下押しロッドが固定的に連結され、前記下押しロッドには前記接着テープ空間の中に位置した押しブロックが固定的に連結され、前記ピストン空間の左側端面には前記従動ロッドと当接できる楔形ブロックが固定的に連結され、前記ピストン空間と前記空気空間との間にはホースが連通するように連結され、前記空気空間の下側内壁には逆止弁が連通するように連結されていることを特徴とする請求項５に記載のリチウム電池の両面のタブのところに接着テープを貼り付ける設備。
【請求項７】
前記接着テープ空間の下側内壁には前記押しブロックの下側に位置した挟みブロックが固定的に連結され、前記押しブロックが下方へ移動し前記挟みブロックと連結されることによって前記接着テープを挟むことができ、前記接着テープ空間の下側の開口の右側端面には前記接着テープを切断できる切断刃が固定的に連結され、前記切断刃が前記挟みブロックの左側に位置することを特徴とする請求項６に記載のリチウム電池の両面のタブのところに接着テープを貼り付ける設備。
【発明の詳細な説明】
【技術分野】
【０００１】
本願発明はリチウム電池生産技術分野を取り上げて、具体的にはリチウム電池の両面のタブのところに接着テープを貼り付ける設備である。
【背景技術】
【０００２】
普及率の高い矩形リチウムイオン電池は、一般的にアルミニウム殻矩形電池と鋼殻矩形電池である。近頃自動車動力電池の流行につれ、電池の容量がだんだん自動車の航続距離に対応できなくなる。防爆安全弁などの付属装置が付いた強度の高いステンレス鋼殻円柱電池と違って、矩形電池の構造が簡単で、全体の付属装置の重さが軽く、相対エネルギー密度が高く、ほとんどの動力電池メーカーは電池エネルギー密度の高いアルミニウム殻矩形電池を生産する。矩形リチウム電池の生産過程において、リチウム電池のタブのところに接着テープを貼り付ける必要がある。今、リチウム電池のタブのところに接着テープを貼り付ける設備はほとんどのが半自動設備であり、片面しか貼り付けることができない。接着テープ設備でリチウム電池のタブのところに接着テープを貼り付けるには、作業員が手でリチウム電池を持ち、指定された作業位置にリチウム電池を置く必要がある。全過程において作業員が手でリチウム電池を持ち、そして人力でリチウム電池を置くことに誤差があるため、タブ固定作業の質が保証できない一方、作業員への作業要求も一定程度ある。本願発明は上記の問題を解決できる。
【先行技術文献】
【特許文献】
【０００３】
【特許文献１】中国特許出願公開１０６３５６５５３号明細書
【発明の概要】
【発明が解決しようとする課題】
【０００４】
技術問題：リチウム電池のタブのところに接着テープを貼り付ける設備はほとんどのが半自動設備であり、片面しか貼り付けることができなく、テープ固定の全過程において作業員が手でリチウム電池を持つ必要があり、タブ固定作業の質が保証できない一方、作業員への作業要求も一定程度ある。
【課題を解決するための手段】
【０００５】
上記の課題を解決するため、本願発明は以下の技術プランを採用する：本願発明のリチウム電池の両面のタブのところに接着テープを貼り付ける設備は、送り箱を含み、前記送り箱の中には上方に開口した送り空間が設けられ、前記送り空間の中にはリチウム電池を送ることができる送り装置が設けられ、前記送り装置の中にはリチウム電池を挟んで固定できる挟み具が五つ設けられ、前記送り空間の後側端面には左右対称の二つの支持台が固定的に連結され、前記支持台には接着テープ箱が固定的に連結され、前記接着テープ箱の中には下方に開口した接着テープ空間が設けられ、前記接着テープ空間の中にはリチウム電池にタブを接着テープで固定できるテープ貼り付け装置が設けられ、前記接着テープ空間の中には前記テープ貼り付け装置の下側に位置したテープ引き装置が設けられ、
前記テープ引き装置は前記接着テープ空間の中に設けられた接着テープ引き箱と、前記接着テープ引き箱の中に設けられた動力空間と、前記動力空間の前側内壁に回転できるように連結され且つ後方に延びたモーター軸と、前記モーター軸に伝動できるように連結され且つ前記動力空間の前側内壁に固定的に連結されたメインモーターと、前記モーター軸に固定的に連結され且つ前記メインモーターの後側に位置したメイン歯車と、前記接着テープ空間の後側内壁に固定的に連結され且つ前記接着テープ引き箱の左側に位置した固定台と、前記固定台の前側端面に固定的に連結され且つ前記動力空間を貫通したラックと、前記メイン歯車と噛合するように連結された前記ラックと、前記接着テープ引き箱の中に設けられ且つ前記動力空間の前側に位置した空気空間と、前記空気空間の中にスライドできるように連結されたスライド盤と、前記スライド盤の上側に固定的に連結され且つ前記接着テープ空間の中まで上方に延びたスライドロッドと、前記スライドロッドに固定的に連結され且つ前記接着テープ空間の中に位置した挟みブロックと、前記空気空間の右側端面に固定的に連結され且つ前記挟みブロックの下側に位置した固定挟みブロックとを含み、前記スライド盤が下方へ移動して前記挟みブロックと前記固定挟みブロックとに接着テープを挟ませて固定させることを利用し、そして前記メインモーターが前記メイン歯車を回転連動させることを利用し、前記メイン歯車が噛合運動で前記接着テープ引き箱を前記ラックに沿って左方へ移動連動させ、指定された長さの前記接着テープを引いて取ることができる。
【０００６】
前記送り装置は前記送り空間の後側内壁に回転できるように連結された二本の左右対称の送り軸を含み、前記送り軸が前方へ延びており、前記送り軸には送り輪が固定的に連結され、二つの前記送り輪の間には送りベルトが連結され、前記送りベルトには五つの前記挟み具が環状に配列され、左側の前記送り軸には前記送り空間の後側内壁に固定的に連結されたモーターが伝動できるように連結されている。
【０００７】
前記挟み具は前記送りベルトの端面に固定的に連結された固定スタンドを含み、前記固定スタンドの後側端面には後方に延びた回転軸が回転できるように連結され、前記回転軸には歯車が固定的に連結され、前記回転軸には前記歯車の後側に固定的に連結された挟み具箱が固定的に連結され、前記挟み具箱の中には後方と上方に開口した挟み具空間が設けられ、前記挟み具空間の後側内壁には左右対称の二つの挟みロッドがスライドできるように連結され、前記挟み具空間のうち対称中心から離れた側の内壁と前記挟みロッドとの間には圧縮バネが連結され、前記挟みロッドには上方に開口した五つのピン穴が前方から後方へ配列され、前記挟み具空間の左右両側内壁の間には前記挟みロッドの上側に位置した位置制限ロッドがスライドできるように連結され、前記位置制限ロッドが前記挟みロッドとスライドできるように連結され、前記位置制限ロッドには上下に貫通したスライド溝が設けられ、前記ピン穴に前記スライド溝とスライドできるように連結された挿しピンを挿し込んで連結することができる。
【０００８】
前記送り箱の後側の上側端面には前記接着テープ箱の間に位置した二つの突出台が固定的に連結され、前記突出台の前側端面には横ロッドが固定的に連結され、前記横ロッドには前記歯車と噛合するように連結されることができる短ラックが固定的に連結され、
前記歯車と前記短ラックとの噛合運動により前記歯車と前記挟み具箱とを百八十度回転連動させ、リチウム電池を翻転させ、リチウム電池の両面に接着テープでタブを固定することができる。
【０００９】
前記テープ貼り付け装置は前記接着テープ空間の上側内壁に固定的に連結されたエアポンプを含み、前記接着テープ空間の後側内壁には前記エアポンプの下側に位置したスライド箱が固定的に連結され、前記スライド箱の中にはスライド空間が設けられ、前記スライド空間の中にはスライド栓がスライドできるように連結され、前記スライド栓の下側端面には前記スライド空間の端面の外まで下方へ延びた押しロッドが固定的に連結され、前記押しロッドの下側端面には下方に開口した負圧空間が設けられ、前記負圧空間と前記エアポンプとの間には負圧ホースが連通するように連結され、前記接着テープ空間の後側内壁には前記スライド箱の右側に位置した接着テープ軸が回転できるように連結され、前記接着テープ軸が前方に延びており、前記接着テープ軸には前記接着テープを貯蔵できる接着テープ盤が固定的に連結され、前記接着テープ空間の後側内壁には前方に延びたガイド輪軸が回転できるように連結され、前記ガイド輪軸が前記接着テープ軸の下側に位置し、前記ガイド輪軸にはガイド輪が固定的に連結され、前記接着テープが前記ガイド輪の下側端面を経由した。
【００１０】
前記接着テープ引き装置は前記接着テープ引き箱の下側端面に固定的に連結された復帰弁を含み、前記復帰弁の中には逆止弁が設けられ、前記空気空間の下側内壁には前記逆止弁の下側端面の外まで下方へ延びた空気管が連通するように連結され、前記逆止弁の中には前記空気管の左側に位置した回転空間が設けられ、前記回転空間の左側内壁には前記逆止弁の中まで右方へ延びた心棒が回転できるように連結され、前記心棒が右方へ前記空気管を貫通し、且つ前記逆止弁の右側内壁と回転できるように連結され、前記心棒には前記回転空間の中に位置した回転板が固定的に連結され、前記回転板と前記回転空間の左側内壁との間にはトーションバネが設けられ、前記心棒には前記空気管の中に位置した塞ぎボールが固定的に連結され、前記塞ぎボールが前記空気管を塞ぐことができ、前記空気管には前後に貫通したボール穴が設けられ、前記逆止弁の前側内壁と前記スライド空間との間には細ホースが連通するように連結され、前記逆止弁の前後両側内壁には前記回転板と当接できる仕切りロッドが二つ対称的に固定的に連結され、前記挟みブロックの上側端面には従動ロッドが固定的に連結され、前記接着テープ空間の後側内壁には前記接着テープ引き箱の右上側に位置したピストン箱が固定的に連結され、前記ピストン箱の中にはピストン空間が設けられ、前記ピストン空間にはピストンがスライドできるように連結され、前記ピストンの下側端面には前記接着テープ空間の中まで下方に延びた下押しロッドが固定的に連結され、前記下押しロッドには前記接着テープ空間の中に位置した押しブロックが固定的に連結され、前記ピストン空間の左側端面には前記従動ロッドと当接できる楔形ブロックが固定的に連結され、前記ピストン空間と前記空気空間との間にはホースが連通するように連結され、前記空気空間の下側内壁には逆止弁が連通するように連結されている。
【００１１】
前記接着テープ空間の下側内壁には前記押しブロックの下側に位置した挟みブロックが固定的に連結され、前記押しブロックが下方へ移動し前記挟みブロックと連結されることによって前記接着テープを挟むことができ、前記接着テープ空間の下側の開口の右側端面には前記接着テープを切断できる切断刃が固定的に連結され、前記切断刃が前記挟みブロックの左側に位置する。
【発明の効果】
【００１２】
本願発明は挟み具によりリチウム電池を速く定位しきつく挟むことができ、操作が簡単であり、作業員を訓練する必要がなく、挟み具の定位が人力の定位により精確であるため、リチウム電池のタブのところに接着テープを貼り付ける作業の質が保証でき、二つのテープ貼り付け装置により指定された長さの接着テープを切断しリチウム電池のタブのところに貼り付けることができ、二つのテープ貼り付け装置の間には翻転機構が設けられ、片面に接着テープの貼り付けられたリチウム電池を翻転させることにより、両面にテープを貼り付けることができ、二つのテープ貼り付け装置が同期に作動できるため、接着テープの貼り付ける効率を向上させ、また送り機構はリチウム電池をテープ貼り付け装置の下方まで移動連動させることができ、本願発明の接着テープを貼り付ける作業の質が保証でき、自動に両面に接着テープを貼り付けることができる。
【図面の簡単な説明】
【００１３】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明のリチウム電池の両面のタブのところに接着テープを貼り付ける設備の全体構成略図
【図２】図２は図１のＡ―Ａ方向の構成略図
【図３】図３は図１のＢ―Ｂ方向の構成略図
【図４】図４は図１のＣの拡大構成略図
【図５】図５は図４のＤの拡大構成略図
【図６】図６は図５のＥ―Ｅ方向の構成略図
【図７】図７は図４のＦ―Ｆ方向のの構成略図
【発明を実施するための形態】
【００１５】
本願発明のリチウム電池の両面のタブのところに接着テープを貼り付ける設備は、主にリチウム電池生産に適用され、以下に本願発明の付図を合わせて本願発明を詳しく説明する：
【００１６】
本願発明の前記リチウム電池の両面のタブのところに接着テープを貼り付ける設備は、送り箱１１を含み、前記送り箱１１の中には上方に開口した送り空間１２が設けられ、前記送り空間１２の中にはリチウム電池を送ることができる送り装置１０１が設けられ、前記送り装置１０１の中にはリチウム電池を挟んで固定できる挟み具１０２が五つ設けられ、前記送り空間１２の後側端面には左右対称の二つの支持台１８が固定的に連結され、前記支持台１８には接着テープ箱２２が固定的に連結され、前記接着テープ箱２２の中には下方に開口した接着テープ空間２４が設けられ、前記接着テープ空間２４の中にはリチウム電池にタブを接着テープで固定できるテープ貼り付け装置１０３が設けられ、前記接着テープ空間２４の中には前記テープ貼り付け装置１０３の下側に位置したテープ引き装置１０４が設けられ、
前記テープ引き装置１０４は前記接着テープ空間２４の中に設けられた接着テープ引き箱６４と、前記接着テープ引き箱６４の中に設けられた動力空間８０と、前記動力空間８０の前側内壁に回転できるように連結され且つ後方に延びたモーター軸８１と、前記モーター軸８１に伝動できるように連結され且つ前記動力空間８０の前側内壁に固定的に連結されたメインモーター７９と、前記モーター軸８１に固定的に連結され且つ前記メインモーター７９の後側に位置したメイン歯車８２と、前記接着テープ空間２４の後側内壁に固定的に連結され且つ前記接着テープ引き箱６４の左側に位置した固定台８３と、前記固定台８３の前側端面に固定的に連結され且つ前記動力空間８０を貫通したラック２３と、前記メイン歯車８２と噛合するように連結された前記ラック２３と、前記接着テープ引き箱６４の中に設けられ且つ前記動力空間８０の前側に位置した空気空間６５と、前記空気空間６５の中にスライドできるように連結されたスライド盤６７と、前記スライド盤６７の上側に固定的に連結され且つ前記接着テープ空間２４の中まで上方に延びたスライドロッド６３と、前記スライドロッド６３に固定的に連結され且つ前記接着テープ空間２４の中に位置した挟みブロック６２と、前記空気空間６５の右側端面に固定的に連結され且つ前記挟みブロック６２の下側に位置した固定挟みブロック７８とを含み、前記スライド盤６７が下方へ移動して前記挟みブロック６２と前記固定挟みブロック７８とに接着テープ３９を挟ませて固定させることを利用し、そして前記メインモーター７９が前記メイン歯車８２を回転連動させることを利用し、前記メイン歯車８２が噛合運動で前記接着テープ引き箱６４を前記ラック２３に沿って左方へ移動連動させ、指定された長さの前記接着テープ３９を引いて取ることができる。
【００１７】
以下に送り装置１０１を詳しく説明し、前記送り装置１０１は前記送り空間１２の後側内壁に回転できるように連結された二本の左右対称の送り軸２１を含み、前記送り軸２１が前方へ延びており、前記送り軸２１には送り輪２０が固定的に連結され、二つの前記送り輪２０の間には送りベルト１７が連結され、前記送りベルト１７には五つの前記挟み具１０２が環状に配列され、左側の前記送り軸２１には前記送り空間１２の後側内壁に固定的に連結されたモーター４４が伝動できるように連結され、
前記モーター４４により左側の前記送り軸２１と前記送り輪２０とを回転連動させることにより、前記送りベルト１７を回転させてリチウム電池を送ることができる。
【００１８】
以下に挟み具１０２を詳しく説明し、前記挟み具１０２は前記送りベルト１７の端面に固定的に連結された固定スタンド１６を含み、前記固定スタンド１６の後側端面には後方に延びた回転軸１４が回転できるように連結され、前記回転軸１４には歯車４６が固定的に連結され、前記回転軸１４には前記歯車４６の後側に固定的に連結された挟み具箱１３が固定的に連結され、前記挟み具箱１３の中には後方と上方に開口した挟み具空間４７が設けられ、前記挟み具空間４７の後側内壁には左右対称の二つの挟みロッド４９がスライドできるように連結され、前記挟み具空間４７のうち対称中心から離れた側の内壁と前記挟みロッド４９との間には圧縮バネ４８が連結され、前記挟みロッド４９には上方に開口した五つのピン穴５３が前方から後方へ配列され、前記挟み具空間４７の左右両側内壁の間には前記挟みロッド４９の上側に位置した位置制限ロッド５２がスライドできるように連結され、前記位置制限ロッド５２が前記挟みロッド４９とスライドできるように連結され、前記位置制限ロッド５２には上下に貫通したスライド溝５１が設けられ、前記ピン穴５３に前記スライド溝５１とスライドできるように連結された挿しピン５０を挿し込んで連結することができ、
前記挿しピン５０を前記スライド溝５１と当接させて前記ピン穴５３に挿し込むことにより、前記位置制限ロッド５２の前後移動を制限し、前記位置制限ロッド５２の位置制限の作用により速くリチウム電池を定位し取り付けることができ、前記圧縮バネ４８の作用により前記ピン穴５３がリチウム電池を挟んで固定できる。
【００１９】
有益に、前記送り箱１１の後側の上側端面には前記接着テープ箱２２の間に位置した二つの突出台４３が固定的に連結され、前記突出台４３の前側端面には横ロッド４５が固定的に連結され、前記横ロッド４５には前記歯車４６と噛合するように連結されることができる短ラック４２が固定的に連結され、
前記歯車４６と前記短ラック４２との噛合運動により前記歯車４６と前記挟み具箱１３とを百八十度回転連動させ、リチウム電池を翻転させ、リチウム電池の両面に接着テープでタブを固定することができる。
【００２０】
以下にテープ貼り付け装置１０３を詳しく説明し、前記テープ貼り付け装置１０３は前記接着テープ空間２４の上側内壁に固定的に連結されたエアポンプ３４を含み、前記接着テープ空間２４の後側内壁には前記エアポンプ３４の下側に位置したスライド箱３０が固定的に連結され、前記スライド箱３０の中にはスライド空間３１が設けられ、前記スライド空間３１の中にはスライド栓３２がスライドできるように連結され、前記スライド栓３２の下側端面には前記スライド空間３１の端面の外まで下方へ延びた押しロッド２９が固定的に連結され、前記押しロッド２９の下側端面には下方に開口した負圧空間２８が設けられ、前記負圧空間２８と前記エアポンプ３４との間には負圧ホース３５が連通するように連結され、前記接着テープ空間２４の後側内壁には前記スライド箱３０の右側に位置した接着テープ軸３７が回転できるように連結され、前記接着テープ軸３７が前方に延びており、前記接着テープ軸３７には前記接着テープ３９を貯蔵できる接着テープ盤３６が固定的に連結され、前記接着テープ空間２４の後側内壁には前方に延びたガイド輪軸４１が回転できるように連結され、前記ガイド輪軸４１が前記接着テープ軸３７の下側に位置し、前記ガイド輪軸４１にはガイド輪４０が固定的に連結され、前記接着テープ３９が前記ガイド輪４０の下側端面を経由し、
前記エアポンプ３４が圧縮空気を生み出して短管３３により前記スライド空間３１の中に送り、前記スライド栓３２と前記負圧盤２７とを下方へ押し動かし、同時に前記エアポンプ３４が前記負圧ホース３５にり吸気することにより、前記負圧空間２８が負圧を生み出し前記接着テープ３９を吸着し、そして前記負圧盤２７が前記接着テープ３９をリチウム電池に貼り付ける。
【００２１】
以下に接着テープ引き装置１０４を詳しく説明し、前記接着テープ引き装置１０４は前記接着テープ引き箱６４の下側端面に固定的に連結された復帰弁６８を含み、前記復帰弁６８の中には逆止弁６９が設けられ、前記空気空間６５の下側内壁には前記逆止弁６９の下側端面の外まで下方へ延びた空気管７０が連通するように連結され、前記逆止弁６９の中には前記空気管７０の左側に位置した回転空間７５が設けられ、前記回転空間７５の左側内壁には前記逆止弁６９の中まで右方へ延びた心棒７３が回転できるように連結され、前記心棒７３が右方へ前記空気管７０を貫通し、且つ前記逆止弁６９の右側内壁と回転できるように連結され、前記心棒７３には前記回転空間７５の中に位置した回転板７４が固定的に連結され、前記回転板７４と前記回転空間７５の左側内壁との間にはトーションバネ７６が設けられ、前記心棒７３には前記空気管７０の中に位置した塞ぎボール７１が固定的に連結され、前記塞ぎボール７１が前記空気管７０を塞ぐことができ、前記空気管７０には前後に貫通したボール穴７２が設けられ、前記逆止弁６９の前側内壁と前記スライド空間３１との間には細ホース２５が連通するように連結され、前記逆止弁６９の前後両側内壁には前記回転板７４と当接できる仕切りロッド７７が二つ対称的に固定的に連結され、前記挟みブロック６２の上側端面には従動ロッド６１が固定的に連結され、前記接着テープ空間２４の後側内壁には前記接着テープ引き箱６４の右上側に位置したピストン箱３８が固定的に連結され、前記ピストン箱３８の中にはピストン空間５８が設けられ、前記ピストン空間５８にはピストン５９がスライドできるように連結され、前記ピストン５９の下側端面には前記接着テープ空間２４の中まで下方に延びた下押しロッド５７が固定的に連結され、前記下押しロッド５７には前記接着テープ空間２４の中に位置した押しブロック５６が固定的に連結され、前記ピストン空間５８の左側端面には前記従動ロッド６１と当接できる楔形ブロック６０が固定的に連結され、前記ピストン空間５８と前記空気空間６５との間にはホース２６が連通するように連結され、前記空気空間６５の下側内壁には逆止弁６９が連通するように連結され、
前記挟みブロック６２が下方に移動し前記固定挟みブロック７８と連結されることにより前記接着テープ３９を挟むことができ、前記メイン歯車８２が回転し前記ラック２３の噛合連結により、前記メイン歯車８２が前記接着テープ引き箱６４を前記ラック２３に沿って左方へ移動連動させ、指定の長さの前記接着テープ３９を引いて取ることができる。
【００２２】
有益に、前記接着テープ空間２４の下側内壁には前記押しブロック５６の下側に位置した挟みブロック５５が固定的に連結され、前記押しブロック５６が下方へ移動し前記挟みブロック５５と連結されることによって前記接着テープ３９を挟むことができ、前記接着テープ空間２４の下側の開口の右側端面には前記接着テープ３９を切断できる切断刃５４が固定的に連結され、前記切断刃５４が前記挟みブロック５５の左側に位置する。
【００２３】
以下に付図を合わせて本願発明の使用手順について詳しく説明する：
【００２４】
初期状態に、スライド栓３２が上限界位置にあり、押しブロック５６が下限界位置にあり、且つ挟みブロック５５と協働して接着テープ３９を挟んでおり、スライド盤６７が上限界位置にあり、接着テープ引き箱６４が左限界位置にあり、回転板７４が垂直位置にあり、ピン穴５３にある位置制限ロッド５２の前後位置の調整し、挿しピン５０がスライド溝５１を経由してピン穴５３の中に挿し込まれて連結されることにより、位置制限ロッド５２の前後の移動を制限し、リチウム電池を挟み具空間４７の中に置き、且つリチウム電池の両面のタブを挟み具空間４７の外に位置させ、挟みロッド４９が圧縮バネ４８の作用によりリチウム電池を挟んで固定する。
【００２５】
作動するとき、モーター４４を始動し、モーター４４が左側の送り軸２１により左側の送り輪２０を回転連動させることにより、送りベルト１７を回転連動させ、挟み具箱１３が負圧盤２７の下側に回転した後、モーター４４が止まりメインモーター７９を始動し、メインモーター７９がモーター軸８１によりメイン歯車８２を回転連動させ、メイン歯車８２が噛合連結によりラック２３に沿って右方へ移動して接着テープ引き箱６４を右方へ移動連動させ、従動ロッド６１が楔形ブロック６０と当接した後、接着テープ引き箱６４が右方へ移動し従動ロッド６１を下方へ移動させ、これにより挟みブロック６２が下方へ移動し固定挟みブロック７８と協働し接着テープ３９をきつく挟み、同時に挟みブロック６２がスライドロッド６３とスライド盤６７とを下方へ移動連動させ、スライド盤６７の下側に位置した空気空間６５の中の空気が逆止弁６９により排出され、スライド盤６７の上側の空気空間６５の中に生み出された負圧がホース２６によりピストン空間５８の中に送られ、且つピストン５９と押しブロック５６を上方へ移動連動させ、これにより押しブロック５６と接着テープ３９とが接触状態から離脱し、そしてメインモーター７９が逆回転することにより、接着テープ引き箱６４が左方へ移動し初期位置に戻り、同時にエアポンプ３４が作動し空気を圧縮し短管３３によりスライド空間３１の中に送り、スライド栓３２と負圧盤２７とを下方へ移動連動させ、同時に空気弁３４が負圧ホース３５により吸気することにより、負圧空間２８が負圧を生み出し接着テープ３９を吸着し、同時にスライド栓３２が下方へ移動することによりスライド空間３１の中の一部の空気が細ホース２５で回転空間７５の中に送られ、回転板７４が駆動されて九十度回転し、これによりボール穴７２と空気管７０とが連通され、外部の空気がボール穴７２と空気管７０とを経由して空気空間６５の中に入ることにより、スライド盤６７が引っ張りバネ６６の作用により上方に移動し復帰し、これにより挟みブロック６２と接着テープ３９とが接触状態から離脱し、同時に空気空間６５の中の空気がホース２６を経由して押しブロック５６を下方へ移動させて、押しブロック５６が接着テープ３９を再びきつく挟み、そして負圧盤２７が接着テープ３９を引き続き下方へ移動連動させ、切断刃５４が接着テープ３９を切断した後、負圧盤２７が下方へ押し横台１９の協働により切断された接着テープ３９をリチウム電池に貼り付け、そしてエアポンプ３４が逆回転し負圧盤２７を復帰させ、そしてモーター４４が再び作動し、片面に接着テープの貼り付けられたリチウム電池を左方へ移動させ、歯車４６と短ラック４２とが接触した後、短ラック４２が噛合連結により歯車４６を百八十度回転させ、これにより片面に接着テープの貼り付けられたリチウム電池を翻転させ、左右両側の二つのテープ貼り付け装置１０３と接着テープ引き装置１０４とが同期に作動することにより、右側のテープ貼り付け装置１０３と右側の接着テープ引き装置１０４とがリチウム電池の片側に接着テープを貼り付ける同時に、左側のテープ貼り付け装置１０３と左側の接着テープ引き装置１０４とがリチウム電池のもう片側に接着テープを貼り付け、これによりリチウム電池の両面のタブのところに接着テープを貼り付けることができる。
【００２６】
本願発明の有益効果は：本願発明は挟み具によりリチウム電池を速く定位しきつく挟むことができ、操作が簡単であり、作業員を訓練する必要がなく、挟み具の定位が人力の定位により精確であるため、リチウム電池のタブのところに接着テープを貼り付ける作業の質が保証でき、二つのテープ貼り付け装置により指定された長さの接着テープを切断しリチウム電池のタブのところに貼り付けることができ、二つのテープ貼り付け装置の間には翻転機構が設けられ、片面に接着テープの貼り付けられたリチウム電池を翻転させることにより、両面にテープを貼り付けることができ、二つのテープ貼り付け装置が同期に作動できるため、接着テープの貼り付ける効率を向上させ、また送り機構はリチウム電池をテープ貼り付け装置の下方まで移動連動させることができ、本願発明の接着テープを貼り付ける作業の質が保証でき、自動に両面に接着テープを貼り付けることができる。
【００２７】
以上の方式により、本分野の技術者は本願発明範囲内に作動方式により各種の変化を加えることができる。
【図１】
0006841989.tif 000002
【図２】
0006841989.tif 000003
【図３】
0006841989.tif 000004
【図４】
0006841989.tif 000005
【図５】
0006841989.tif 000006
【図６】
0006841989.tif 000007
【図７】
0006841989.tif 000008